(57)【要約】【課題】引き戸１用の四方枠２を、吊り金具８を介して躯体側の上フレーム９に簡単に取付けられるようにする。【解決手段】四方枠２の上枠２ａに固定される吊り金具８の上端部に、水平状の吊り固定片部８ｄと該吊り固定片部８ｄの屋外側端から下方に向けて折曲した係止片部８ｅと、ボルト貫通溝８ｋとを形成し、上フレーム９の跨部９ａと該跨部９ａから垂下するボルト頭１２ｂに係止する平座金１２ｄとの隙間Ｘに、ボルト貫通溝８ｋが螺子部１２ｃに貫通させるように組み込んで係止片部８ｅが平座金１２ｄに係止することで四方枠２を仮保持するようにした。【選択図】図７
2015175097.tif 000002
【特許請求の範囲】
【請求項１】
出入り口に取付けられる引き戸用の四方枠を、該四方枠に設けた吊り金具を介して躯体側のフレーム材に吊り固定するにあたり、吊り金具は、四方枠から上方に向けて延出する本体部と、該本体部の上端から水平状に折曲される吊り固定片部と、該吊り固定片部の先端から下方に向けて折曲する係止片部とを備え、該係止片部および吊り固定片部には係止片部側が開口したボルト貫通溝が形成されるものであり、吊り固定片部を取付け固定すべくフレーム材から垂下していてボルト貫通溝に貫通するボルトには、ボルト貫通溝の溝幅よりも幅広で係止片部に係止してボルトがボルト貫通溝から抜け出るのを規制することで四方枠をフレーム材に仮保持するための座金が設けられていることを特徴とする引き戸用の戸枠。
【請求項２】
ボルト貫通溝は、溝入口側が幅広で溝奥側が幅狭になっていることを特徴とする請求項１記載の引き戸用の戸枠。
【請求項３】
座金は四角形状をした平座金であることを特徴とする請求項１または２記載の引き戸用の戸枠。
【請求項４】
引き戸を、走行ローラが上廻りケース内に設けられたハンガーレールを転動することで開閉移動するものとするにあたり、該上廻りケースには、吊り金具本体部から吊り固定片部とは反対側に突出した係止片に係脱自在に係止して吊り金具に仮保持するための係止孔が形成され、上廻りケースは、該仮保持状態でさらに吊り金具本体部に固定されるものであることを特徴とする請求項１乃至３の何れか１記載の引き戸用の戸枠。
【請求項５】
引き戸を開放したとき引き戸が対向するものは袖壁部であり、上廻りケースは、該上廻りケースから挿入した固定部材を介して袖壁部側に固定されるものであることを特徴とする請求項４記載の引き戸用の戸枠。
【請求項６】
上廻りケースから挿入した固定部材は、袖壁部を貫通し、袖壁部の上廻りケースとは反対側に設けたフレーム材に螺入して上廻りケースを固定するものであることを特徴とする請求項５記載の引き戸用の戸枠。
【発明の詳細な説明】
【技術分野】
【０００１】
本発明は、玄関等の出入り口に建て付けられる引き戸用の戸枠の技術分野に関するものである。
【背景技術】
【０００２】
一般に、玄関等の出入り口に上吊り式の引き戸を建て付けることがあり、このような場合、出入り口の周面に戸枠を取付けることになるが、工場や現場等で組み立てられた四周枠を起立させ、これを持ち上げて外壁に設けたフレームに吊り掛けした状態で組み込み固定するようにしたものが提唱される（例えば特許文献１参照）。
【先行技術文献】
【特許文献】
【０００３】
【特許文献１】実開昭５９−１５４５８５号公報
【発明の概要】
【発明が解決しようとする課題】
【０００４】
しかしながら前記従来のものは、外壁に設けたフレームに四方枠を組み込み固定する場合、四方枠を起立させ、持ち上げた状態で行わなければならないが、この起立、持ち上げられた四方枠が倒れないよう支持しながら、該支持されている四方枠を躯体側のフレームに組み込み固定する作業が強いられることになって作業性が劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、出入り口に取付けられる引き戸用の四方枠を、該四方枠に設けた吊り金具を介して躯体側のフレーム材に吊り固定するにあたり、吊り金具は、四方枠から上方に向けて延出する本体部と、該本体部の上端から水平状に折曲される吊り固定片部と、該吊り固定片部の先端から下方に向けて折曲する係止片部とを備え、該係止片部および吊り固定片部には係止片部側が開口したボルト貫通溝が形成されるものであり、吊り固定片部を取付け固定すべくフレーム材から垂下していてボルト貫通溝に貫通するボルトには、ボルト貫通溝の溝幅よりも幅広で係止片部に係止してボルトがボルト貫通溝から抜け出るのを規制することで四方枠をフレーム材に仮保持するための座金が設けられていることを特徴とする引き戸用の戸枠である。
請求項２の発明は、ボルト貫通溝は、溝入口側が幅広で溝奥側が幅狭になっていることを特徴とする請求項１記載の引き戸用の戸枠である。
請求項３の発明は、座金は四角形状をした平座金であることを特徴とする請求項１または２記載の引き戸用の戸枠である。
請求項４の発明は、引き戸を、走行ローラが上廻りケース内に設けられたハンガーレールを転動することで開閉移動するものとするにあたり、該上廻りケースには、吊り金具本体部から吊り固定片部とは反対側に突出した係止片に係脱自在に係止して吊り金具に仮保持するための係止孔が形成され、上廻りケースは、該仮保持状態でさらに吊り金具本体部に固定されるものであることを特徴とする請求項１乃至３の何れか１記載の引き戸用の戸枠である。
請求項５の発明は、引き戸を開放したとき引き戸が対向するものは袖壁部であり、上廻りケースは、該上廻りケースから挿入した固定部材を介して袖壁部側に固定されるものであることを特徴とする請求項４記載の引き戸用の戸枠である。
請求項６の発明は、上廻りケースから挿入した固定部材は、袖壁部を貫通し、袖壁部の上廻りケースとは反対側に設けたフレーム材に螺入して上廻りケースを固定するものであることを特徴とする請求項５記載の引き戸用の戸枠である。
【発明の効果】
【０００６】
請求項１の発明とすることにより、ボルトがボルト貫通溝に貫通した状態で四方枠をフレーム材に仮保持し、この仮保持状態で四方枠の躯体側への組み込み固定ができるため作業性が向上する。
請求項２の発明とすることにより、ボルト貫通溝の入り口側が幅広くなってボルトを貫通する作業が容易となり、作業性が向上する。
請求項３の発明とすることにより、四角形状をした平座金の一辺が係止片部に係止して仮保持がなされることになって仮保持の安定性が増し、作業性が向上する。
請求項４の発明とすることにより、四方枠を吊り持ち支持するための吊り金具が、ハンガーレールが設けられる上廻りケースの仮保持部材となるため上廻りケースの取付けも容易となるうえ、吊り金具が上廻りケースの固定部材にも兼用化されることになる。
請求項５の発明とすることにより、上廻りケースの袖壁部側への固定が容易になる。
請求項６の発明とすることにより、袖壁部が薄い場合においての上廻りケースの固定が確実になる。
【図面の簡単な説明】
【０００７】
【図１】引き戸の概略正面図である。
【図２】引き戸の出入り口部位の縦断面図である。
【図３】引き戸の袖壁部位の縦断面図である。
【図４】引き戸の横断面図である。
【図５】四方枠の正面図である。
【図６】（Ａ）（Ｂ）（Ｃ）（Ｄ）は吊り金具の補助金具を取り付けた状態の側面図、正面図、平面図、補助金具のない状態の吊り金具の側面図である。
【図７】（Ａ）（Ｂ）（Ｃ）は吊り金具を上フレームに取付ける状態を示す作用説明側面図である。
【図８】（Ａ）（Ｂ）（Ｃ）は吊り金具を上フレームに取付ける状態を示す作用説明平面図である。
【図９】（Ａ）（Ｂ）（Ｃ）は上廻りケースの背面図、出入り口部位の縦断面図、袖壁部位の縦断面図である。
【図１０】第二の実施の形態を示す引き戸の袖壁部位の縦断面図である。
【図１１】第二の実施の形態を示す上廻りケースの背面図である。
【図１２】第三の実施の形態を示す吊り金具の側面図である。
【発明を実施するための形態】
【０００８】
以下、本発明の実施の形態について、図面に基づいて説明する。図中、１は引き戸であって、該引き戸１は、出入り口に設けられた四方枠（四周枠）２の上枠２ａおよび外壁３の屋外側面部に設けられた後述するハンガーレール４に引き戸１の上面に設けた走行ローラ５が転動することで出入り口を閉鎖する姿勢と、引き戸1を開放した引き込み部で該引き戸１が対向する袖壁部３ａに至って出入り口を開放する姿勢とのあいだを開閉移動できるようになっていること等は何れも従来通りである。因みに、外壁３は出入り口部位が除かれ、戸袋部位はそのまま袖壁部３ａとなって残されたものとなっている。
【０００９】
前記四方枠２は、前記上枠２ａに、左右枠２ｂ、２ｃ、下枠２ｄを用いて構成されるが、工場や現場等で組み立てられたものが後述するように躯体側に組み込み固定されるようになっている。上枠２ａには、引き戸１の上端部とのシール性を確保するべくシール材６を取付けるための取付け金具７が屋外側に固定されるが、該取付け金具７は、上枠２ａの上面に固定される固定片７ａと、該固定片７ａの屋外側端から立上っていてシール材６を取付けるための取付けスペースを形成する屋外側立上り片７ｂと、固定片７ａの屋内側端から立上った屋内側立上り片７ｃとを備えて構成されている。
【００１０】
８は前記四方枠２を躯体側に吊り固定するための吊り金具であって、該吊り金具８は、縦板状の本体部８ａと、該本体部８ａの上端から屋内側に向けて折曲された屋内側折曲片部８ｂと、該折曲片部８ｂの屋内側端から起立された起立片部８ｃと、該起立片部８ｃの上端からさらに屋内側に折曲され、外壁３の出入り口上縁部に固定の上フレーム９に後述するよう吊り固定される吊り固定片部８ｄと、該吊り固定片部８ｄの屋内側端から下方に向けて折曲される係止片部８ｅと、本体部８ａの下端部一側辺から屋外側に向けて折曲された屋外側折曲片部８ｆと、該屋外側折曲片部８ｆから本体部８ａに対向するように折曲され、前記取付け金具７の屋内側取付け片７ｃにビス１０を介して固定される固定片部８ｇとを備えて構成され、本体部８ａと屋内側折曲片部８ｂとのあいだには補強片部８ｈが梁状に設けられ、さらに本体部８ａには、Ｌ字形になった係止片８ｉが屋外側に向けて突設され、該係止片８ｉの上側には長孔状のボルト貫通孔８ｊが穿設され、吊り固定部８ｄには、係止片部８ｅから開口し、起立片部８ｃに至って前位置にまで至るボルト貫通溝８ｋが形成されているが、該ボルト貫通溝８ｋは、溝奥部８ｌが後述するボルト１２の螺子部１２ｃが丁度貫通する幅狭寸法になっており、該溝奥部８ｌよりも屋内側溝部８ｍは幅広寸法になっていて、ボルト１２を貫通しやすいようになっている。
さらに吊り金具本体部８ａの下部屋内側面にはＬ字形をした取付け金具１１の一片がビス１０ａを介して取付けられているが、該取付け金具１１の屋内側に延びる他片にはナット１１ａが溶着されている。
【００１１】
そして四方枠２は次のようにして上フレーム９に吊り固定されるようになっている。前述したように、吊り金具８は、四方枠上枠２ａに固定の取付け金具７の屋内側立上り片７ｃの左右両端部にビス１０を介して固定片部８ｇが固定されることで組付け固定されている一方、上方が開口したＣ形鋼で形成される上フレーム９の跨片９ａを貫通するボルト１２は、ボルト頭１２ｂが跨片９ａの下面から間隙Ｘを存する（離間する）状態で跨片９ａの上面に当接（載置）するナット１２ａに螺子部１２ｃの先端（上端）が螺入する非緊締状態になっている（図７、８（Ａ）参照）。この状態で、四方枠２を持ち上げて係止片部８ｅを前記間隙Ｘに入り込むように移動し、ボルト貫通溝８ｋをボルト螺子部１２ｃに差し込んで（外嵌して）いって係止片部８ｅをボルト螺子部１２ｃに外嵌した四角形状の平座金１２ｄを超えた位置まで移動する。この状態で手を放すと、四方枠２は、係止片部８ｅが平座金１２ｄに係止した仮保持状態となって吊持状に保持される（図７、８（Ｂ）参照）。
ついで四方枠２を、ボルト貫通溝８ｋの溝奥部８ｌにボルト螺子部１２ｃが位置するよう屋内側に移動させ、この状態でボルト１２を上側に向けて締め上げることで吊り固定片部８ｄが上フレーム跨片９ａに当接することになって四方枠２の上フレーム９への吊り固定ができるようになっている（図７、８（Ｃ）参照）。
【００１２】
このようにして吊り固定された吊り金具８の屋外側面および袖壁部３ａに、前記ハンガーレール４等の各種部材が組み込まれた上廻りケース１３を組付けることになるが、該上廻りケース１３は、上面板１３ａ、屋外側板１３ｂ、屋内側板１３ｃ、下面板１３ｄを備えて構成されるが、屋外側板１３ｂは着脱自在となっていて点検口として開口できるようになっている。
屋内側板１３ｃには、前記吊り金具係止片８ｉが遊嵌状に嵌入する係止孔１３ｅが形成されており、そして上廻りケース１３は、係止孔１３ｅに係止片８ｉを嵌入させた状態で手を放すと、係止片８ｉの上辺に係止孔１３ｅの上縁が係止する仮保持状態となり、この状態でボルト貫通孔８ｊから挿入したボルト１４を屋内側板１３ｃ側のナット１４ａに螺入緊締することで吊り金具８側での取付けができるようになっている。尚、１３ｇはボルト孔である。
一方、袖壁部３ａ側への取付けについては、屋内側板１３ｃに穿設のビス孔１３ｆを貫通したビス１０ｂを袖壁部３ａを貫通し、袖壁部３ａの屋内側面に設けたフレーム材１５に螺入することで取付けられるようになっている。
【００１３】
叙述の如く構成された本実施の形態において、四方枠２を取付ける場合に、螺子部１２ｃに平座金１２ｄを貫通させたボルト１２を、ボルト頭１２ｂが下側となる状態でボルト１２を上フレーム９に貫通させ、螺子部１２ｃの先端をナット１２ａに螺入させた非緊締状態にすると、上フレーム跨片９ａの下面と平座金１２ｄとのあいだに隙間がある状態となり、この状態で吊り金具８を持ち上げてボルト貫通溝８ｋを螺子部１２ｃに外嵌する。そして係止片部８ｅが平座金１２ｄの屋内側端を超えた段階で手を離すと、係止片部８ｅが平座金１２ｃの屋内側端縁に係止する仮保持状態となる。この状態から吊り金具８または四方枠２の上部位を屋内側に押しやると、螺子部１２ｃがボルト貫通溝８ｋの溝奥部８ｌに移動することになり、この状態でボルト１２を緊締することで四方枠２は上フレーム９に固定されることになる。
【００１４】
このように本発明が実施されたものにおいては、四方枠２を上フレーム９に取付けるにあたり、上フレーム９から垂下しているボルト１２に仮保持することができ、そしてこの仮保持状態で四方枠２の躯体側への組み込み固定作業ができることになって四方枠２の取付け作業が容易となり、作業性が向上する。
【００１５】
そのうえこのものでは、ボルト１２が貫通するボルト貫通溝８ｋが、溝入口側が幅広となっているため、ボルト貫通溝８ｋをボルト１２に嵌め込みやすく、この結果、作業性が向上することになるが、溝奥部８ｌは幅狭になっているため、四方枠２の取付け精度が損なわれることもない。
【００１６】
また、四方枠２を仮保持するための座金は四角形状をした平座金１２ｄであるため、前記仮保持する際の係止片部８ｅと平座金１２ｄの係止が線状になって大きなものとなって四方枠２の仮保持が確実となる。
【００１７】
しかもこのものでは、ハンガーレール４を内装する上廻りケース１３を取付ける際に、該上廻りケース１３は、吊り金具８の本体部８ａから突設した係止片８ｉに係止孔１３ｅを係脱自在に係止することで仮保持された状態になり、その後、上廻りケース１３は、四方枠２部位ではボルト１４で吊り金具本体部８ａに緊締固定することができるため、上廻りケース１３の取付け作業についても容易となって作業性が向上する。そのうえ四方枠２部位では、吊り金具８が上廻りケース１３の固定部材に兼用されることになって部品点数の削減が図れることになる。
【００１８】
また上廻りケース１３の袖壁３ａ側への固定は、上廻りケース１３の屋内側面１３ｃを貫通するビス１０ｂにより固定できるため、該部位での上廻りケース１３の固定が容易になる。
そしてこの場合、本実施の形態のように袖壁３ａが軽カル板のように強度的に弱いものであるような場合、上廻りケース１３は、袖壁部３ａの屋内側面に配したフレーム材１５に螺入固定されるため、確実な固定ができることになる。
【００１９】
尚、本発明は前記実施の形態に限定されないものであることは勿論であって、因みに、座金としては吊り固定片部から脱落しなければよいものであって、円板形のものであっても勿論よい。また、吊り金具を固定するためのボルトは、ボルト頭側が垂下したものでなく、ナット側が垂下したものとすることができ、この場合、座金はナットの上面に載ることになる。
【００２０】
さらに本発明は、図１０、１１に示す第二の実施の形態のように、袖壁部３ａが外壁材のように強度がある場合には、ボルト貫通孔１３ｈを貫通したボルト（固定部材）１６を介して袖壁３ａに直接固定するように行為することができる。
【００２１】
また、図１２は第三の実施の形態を示したものであって、このものは、係止片部８ｅの下端を室内側に折曲させて下片部８ｎを形成したものとしたものであり、このようにすることにより、四方枠２を仮保持する際に、平座金１２ｄにフック状に係止するものとして仮保持をより安定したものにできる、という利点がある。
【産業上の利用可能性】
【００２２】
本発明は、出入り口に建て付けられる引き戸用の戸枠としてに利用することができる。
【符号の説明】
【００２３】
１  引き戸
２  四方枠
８  吊り金具
８ａ  本体部
８ｄ  吊り固定片部
８ｅ  係止片部
８ｋ  ボルト貫通溝
９  上フレーム
１２  ボルト
１２ｄ  平座金
【図１】
2015175097.tif 000003
【図２】
2015175097.tif 000004
【図３】
2015175097.tif 000005
【図４】
2015175097.tif 000006
【図５】
2015175097.tif 000007
【図６】
2015175097.tif 000008
【図７】
2015175097.tif 000009
【図８】
2015175097.tif 000010
【図９】
2015175097.tif 000011
【図１０】
2015175097.tif 000012
【図１１】
2015175097.tif 000013
【図１２】
2015175097.tif 000014